(57)【要約】【課題】シートをバッグに変化させた場合におけるバッグとして機能性を高める。【解決手段】シート本体１１は、表生地１２と裏生地１３を重ねて縫合したものである。シート本体１１における幅Ｗ１方向に向かい合う２辺の各々にはファスナエレメント２１Ｌおよび２１Ｒ（務歯）が設けられている。シート本体１１における幅Ｌ１方向に向かい合う２辺うち一方の辺の内側近傍には鳩目３１Ｄ−ｋ（ｋ＝１〜４）がある。もう一方の辺の内側近傍には鳩目３１Ｕ−ｋ（ｋ＝１〜４）がある。鳩目３１Ｄ−２には留具５１Ｄが嵌め込まれている。鳩目３１Ｕ−２には留具５１Ｕが嵌め込まれている。【選択図】図１
2014023576.tif 000002
【特許請求の範囲】
【請求項１】
表生地と裏生地とを含む複数枚の生地を重ねて縫合したシート本体であって、当該シート本体における第１の方向に向かい合う２辺に沿ってファスナエレメントが設けられており、当該シート本体における第２の方向に向かい合う２辺のうち少なくとも１辺の内側近傍に前記第１の方向に離間した複数個の鳩目が設けられているシート本体と、
前記シート本体における前記複数個の鳩目の１つに嵌め込まれている留具と
を具備し、
前記シート本体を前記裏生地を内側に向けて丸め、前記シート本体における２つのファスナエレメントを噛合させ、前記シート本体における複数個の鳩目のある部分を内側に折り曲げ、前記シート本体の複数個の鳩目に前記留具における前記表生地の側に露出した部分を通すことにより、バッグに変化するように構成されていることを特徴とするシート。
【請求項２】
複数枚の生地をそれらの間に袋状の収納部ができるようにして重ねて縫合したポケット体であって、当該ポケット体における前記第１の方向に延在する一辺が前記シート本体の裏生地における前記鳩目の内側近傍に縫合されているポケット体
を具備することを特徴とする請求項１に記載のシート。
【請求項３】
前記ポケット体をなす複数枚の生地であって当該ポケット体を前記シート本体における前記鳩目の内側の部分の上に敷いたときに前記シート本体側に臨む生地に前記収納部と連通する開口が設けられていることを特徴とする請求項２に記載のシート。
【請求項４】
前記シート本体における前記第２の方向に向かい合う２辺の各々の内側近傍に複数個の鳩目が設けられており、前記２辺における一方の内側近傍の複数個の鳩目の１つと他方の辺の内側近傍の複数個の鳩目の１つに留具が嵌め込まれていることを特徴とする請求項３に記載のシート。
【請求項５】
前記シート本体における前記留具が嵌め込まれている鳩目の周囲に表生地とその下の生地との縫合線があり、前記留具における前記表生地の側に露出した部分の長さは当該留め具が嵌め込まれている鳩目内の孔から当該鳩目の周囲の縫合線までの間の最長距離よりも長いことを特徴とする請求項４に記載のシート。
【請求項６】
前記シート本体の表生地における前記第２の方向に向かい合う２辺のうち一方の辺に前記ファスナエレメントを覆う襠布が縫合されていることを特徴とする請求項５に記載のシート。
【請求項７】
前記シート本体の裏生地における前記第２の方向に向かい合う２辺の各々に前記ファスナエレメントを覆う襠布が縫合されていることを特徴とする請求項５に記載のシート。
【発明の詳細な説明】
【技術分野】
【０００１】
本発明は、バッグに変化するシートに関する。
【背景技術】
【０００２】
レジャーシートの中には、本来の敷物としての機能とバッグとしての機能とを併有するものがある。この種のシートに関わる技術を開示した文献として、特許文献１がある。この文献１に開示されたレジャーシートは、矩形状のシート本体における真中の稜線の一方の側の周縁と他方の側の周縁にチャックを設けるとともに、シート本体の裏面に一対の把手を設けたものである。このレジャーシートは、シート本体のチャックを噛合させない状態で広げることにより敷物として利用することができる。また、シート本体を２つ折りにしてチャックを噛合させることにより稜線の部分を底部とするバッグとして利用することもできる。
【先行技術文献】
【特許文献】
【０００３】
【特許文献１】特開平１０−２３４５５５号公報
【発明の概要】
【発明が解決しようとする課題】
【０００４】
しかしながら、特許文献１の技術の場合、シート本体を２つ折りにする構造を採っているため、厚手の衣服やランチボックスなどといった厚みのあるものは収納し難いという問題があった。
【０００５】
本発明は、このような課題に鑑みてなされたものであり、シートをバッグに変化させた場合におけるバッグとして機能性を高めることを目的とする。
【課題を解決するための手段】
【０００６】
上記課題を解決するため、本発明は、表生地と裏生地とを含む複数枚の生地を重ねて縫合したシート本体であって、当該シート本体における第１の方向に向かい合う２辺に沿ってファスナエレメントが設けられており、当該シート本体における第２の方向に向かい合う２辺のうち少なくとも１辺の内側近傍に前記第１の方向に離間した複数個の鳩目が設けられているシート本体と、前記シート本体における前記複数個の鳩目の１つに嵌め込まれている留具とを具備し、前記シート本体を前記裏生地を内側に向けて丸め、前記シート本体における２つのファスナエレメントを噛合させ、前記シート本体における複数個の鳩目のある部分を内側に折り曲げ、前記シート本体の複数個の鳩目に前記留具における前記表生地の側に露出した部分を通すことにより、バッグに変化するように構成されていることを特徴とするシートを提供する。
【０００７】
本発明では、シートのシート本体を裏生地を内側に向けて丸め、シート本体における２つのファスナエレメントを噛合させ、シート本体における複数個の鳩目のある部分を内側に折り曲げ、シート本体の複数個の鳩目に前記留具における前記表生地の側に露出した部分を通すことにより、バッグに変化するように構成されている。そして、シートを変形させたバッグにおける荷物を入れる空間は筒状になっている。よって、本発明によると、厚手の衣服やランチボックスなどといった厚みのあるものを無理なく収納することができる。
【図面の簡単な説明】
【０００８】
【図１】本発明の一実施形態であるシートの表面図およびこのシートと併せて利用されるショルダーベルトの一例を示す図である。
【図２】同シートの裏面図である。
【図３】同シートの留具を示す図である。
【図４】同シートのポケット部の表面図及び裏面図である。
【図５】シート本体における鳩目のある部分を内側に折り曲げて留具により纏めた状態を下方から見た図である。
【図６】同シートを変形させたバッグを肩から背負っている状態を示す図である。
【図７】２枚のシートを連結した状態を示す図である。
【発明を実施するための形態】
【０００９】
以下、図面を参照しつつ本発明の実施形態について説明する。図１（Ａ）は、本発明の一実施形態であるシート１０の表面図である。図１（Ｂ）は、このシート１０と併せて利用されるショルダーベルト９０の一例を示す図である。図２（Ａ）は、シート１０の裏面図である。シート１０のシート本体１１は、表生地１２と裏生地１３とを重ねて縫合したものである。シート本体１１は、横幅Ｗ１（例えば、Ｗ１＝９００ｍｍ）と縦幅Ｌ１（例えば、Ｌ１＝６７０ｍｍ）の寸法を持った矩形状をなしている。
【００１０】
シート本体１１における幅Ｗ１方向（第１の方向）に向かい合う２辺のうち一方の辺には線ファスナにおける一方のファスナエレメント２１Ｌ（務歯）が設けられており、もう一方の辺には線ファスナにおける他方のファスナエレメント（務歯）２１Ｒが設けられている。ファスナエレメント２１Ｌには線ファスナの開閉部品であるスライダ２２が取り付けられている。
【００１１】
シート本体１１における幅Ｌ１方向（第２の方向、第１の方向と直交する方向）に向かい合う２辺のうち一方の辺の僅かに内側には幅Ｗ１方向に延在する縫合線ＬＮＤＯＵＴ（表生地１２と裏生地１３とを糸により縫合してなる縫合線）があり、もう一方の辺の僅かに内側には幅Ｗ１方向に延在する縫合線ＬＮＵＯＵＴがある。シート本体１１における縫合線ＬＮＤＯＵＴから内側（縫合線ＬＮＵＯＵＴの側）に距離Ｌ２（例えば、Ｌ２＝６５ｍｍ）だけ離れた位置には幅Ｗ１方向に延在する縫合線ＬＮＤＩＮがある。シート本体１１における縫合線ＬＮＵＯＵＴから内側（縫合線ＬＮＤＯＵＴの側）に距離Ｌ２だけ離れた位置には幅Ｗ１方向に延在する縫合線ＬＮＵＩＮがある。
【００１２】
シート本体１１における縫合線ＬＮＤＯＵＴと縫合線ＬＮＤＩＮとに挟まれた部分には鳩目３１Ｄ−ｋ（ｋ＝１〜４）が設けられている。シート本体１１における縫合線ＬＮＵＯＵＴと縫合線ＬＮＵＩＮとに挟まれた部分には鳩目３１Ｕ−ｋ（ｋ＝１〜４）が設けられている。鳩目３１Ｄ−ｋ（ｋ＝１〜４）及び３１Ｕ−ｋ（ｋ＝１〜４）は、直径Ｒ１（例えば、Ｒ１＝１８ｍｍ）の孔３２Ｄ−ｋ（ｋ＝１〜４）及び３２Ｕ−ｋ（ｋ＝１〜４）を各々内包する環状の金具である。鳩目３１Ｄ−ｋ（ｋ＝１〜４）は幅Ｗ１方向に並んでいる。鳩目３１Ｄ−１及び３１Ｄ−２、鳩目３１Ｄ−２及び３１Ｄ−３、鳩目３１Ｄ−３及び３１Ｄ−４は同じ距離Ｗ３（Ｗ３＝Ｗ１／４）ずつ離れている。鳩目３１Ｕ−ｋ（ｋ＝１〜４）は幅Ｗ１方向に並んでいる。鳩目３１Ｕ−１及び３１Ｕ−２、鳩目３１Ｕ−２及び３１Ｕ−３、鳩目３１Ｕ−３及び３１−４は同じ距離Ｗ３ずつ離れている。
【００１３】
図１（Ａ）及び図２（Ａ）に示すように、シート本体１１における縫合線ＬＮＤＯＵＴ及びＬＮＤＩＮ間の４つの鳩目３１Ｄ−ｋ（ｋ＝１〜４）のうち鳩目３１Ｄ−２の孔３２Ｄ−２の裏生地１３側は裏生地１３によって塞がれている。鳩目３１Ｄ−ｋ（ｋ＝１〜４）のうち鳩目３１Ｄ−２以外の他の鳩目３１Ｄ−１、３１Ｄ−３、３１Ｄ−４の孔３２Ｄ−１、３１Ｄ−３、３１Ｄ−４は表生地１２及び裏生地１３間を貫通している。
【００１４】
シート本体１１における縫合線ＬＮＵＯＵＴ及びＬＮＵＩＮ間の４つの鳩目３１Ｕ−ｋ（ｋ＝１〜４）のうち鳩目３１Ｕ−２の孔３２Ｕ−２の裏生地１３側は裏生地１３によって塞がれている。鳩目３１Ｕ−ｋ（ｋ＝１〜４）のうち鳩目３１Ｕ−２以外の他の鳩目３１Ｕ−１、３１Ｕ−３、３１Ｕ−４の孔３２Ｕ−１、３１Ｕ−３、３１Ｕ−４は表生地１２及び裏生地１３間を貫通している。
【００１５】
シート本体１１における鳩目３１Ｄ−２の鳩目３１Ｄ−１側及び鳩目３１Ｄ−３側には幅Ｌ１方向に延在する２本の縫合線ＬＮＤＬ及びＬＮＤＲがある。シート本体１１における鳩目３１Ｕ−２の鳩目３１Ｕ−１側及び鳩目３１Ｕ−３側には幅Ｌ１方向に延在する２本の縫合線ＬＮＵＬ及びＬＮＵＲがある。
【００１６】
シート本体１１の鳩目３１Ｄ−２には留具５１Ｄが嵌め込まれている。シート本体１１の鳩目３１Ｕ−２には留具５１Ｕが嵌め込まれている。図３（Ａ）は留具５１Ｄの正面図である。図３（Ｂ）は、図３（Ａ）を矢印Ａ方向から見た図である。図３（Ａ）及び図３（Ｂ）に示すように、留具５１Ｄは、Ｕ字を模擬した部材の各端部を外側に曲げて延伸させ、延伸した先の部分を内側に折り返したような形状をなしている。留具５１ＤのＵ字状をなす部分（以下、Ｕ字部５２Ｄ）の長さＬ４（例えば、Ｌ４＝６０ｍｍ）は、シート本体１１における鳩目３１Ｄ−２内の孔３２Ｄ−２から鳩目３１Ｄ−２の周囲の縫合線ＬＮＤＯＵＴ、ＬＮＤＩＮ、ＬＮＤＬ、ＬＮＤＲまでの最長距離ＤＭＡＸも長くなっている。留具５１Ｄにおける外側に曲がった先の部分（以下、曲部５３Ｄ）の長さＬ５（例えば、Ｌ５＝２０ｍｍ）は、シート本体１１における鳩目３１Ｄ−２内の孔３２Ｄ−２から鳩目３１Ｄ−２の周囲の縫合線ＬＮＤＯＵＴ、ＬＮＤＩＮ、ＬＮＤＬ、ＬＮＤＲまでの最短距離ＤＭＩＮよりも短くなっている。
【００１７】
留具５１ＤのＵ字部５２Ｄの幅はＵ字部５２Ｄの頭頂部から距離Ｌ６（例えば、Ｌ６＝１０ｍｍ）だけ曲部５３Ｄ側の位置において最大幅Ｗ４ＭＡＸになっている。この最大幅Ｗ４ＭＡＸは留具５１Ｄの孔３２Ｄ−２の直径Ｒ１よりも僅かに大きくなっている。留具５１ＤのＵ字部５２Ｄの幅は曲部５３Ｄに近くづくに従って徐々に狭まり、曲部５３Ｄとの境界位置において最小幅Ｗ４ＭＩＮになっている。この最小幅Ｗ４ＭＩＮは孔３２Ｄ−２の直径Ｒ１よりも僅かに小さくなっている。留具５１Ｕは、留具５１Ｄと同様に、Ｕ字部５２Ｕと曲部５３Ｕを有している。Ｕ字部５２Ｕの形状及び寸法はＵ字部５２Ｄのそれと同じである。また、曲部５３Ｕの形状及び寸法は曲部５３Ｄのそれと同じである。
【００１８】
図１（Ａ）に示すように、留具５１Ｄがシート本体１１の鳩目３１Ｄ−２に嵌め込まれた状態において、留具５１Ｄの曲部５３Ｄは、表生地１２及び裏生地１３とこれらの縫合線ＬＮＤＯＵＴ、ＬＮＤＩＮ、ＬＮＤＬ、及びＬＮＤＲとに囲まれた空間内に収まっており、留具５１ＤのＵ字部５２Ｄは、鳩目３１Ｄ−２の孔３２Ｄ−２から表生地１２側に露出している。また、留具５１Ｕがシート本体１１の鳩目３１Ｕ−２に嵌め込まれた状態において、留具５１Ｕの曲部５３Ｄは、表生地１２及び裏生地１３とこれらの縫合線ＬＮＵＯＵＴ、ＬＮＵＩＮ、ＬＮＵＬ、及びＬＮＵＲとに囲まれた空間内に収まっており、留具５１ＵのＵ字部５２Ｕは、鳩目３１Ｕ−２の孔３２Ｕ−２から表生地１２側に露出している。
【００１９】
図２（Ａ）に示すように、シート本体１１における鳩目３１Ｄ−４の内側近傍にはボケット体６１が縫合されている。図４（Ａ）は、ボケット体６１の表面図である。図４（Ｂ）は、ボケット体６１の裏面図である。図４（Ａ）及び図４（Ｂ）に示すように、ボケット体６１は、生地６２及び６３をそれらの間に袋状の収容部６４ができるようにして重ねて縫合したものである。
【００２０】
ボケット体６１は、縦幅Ｌ７（例えば、Ｌ７＝２７０ｍｍ）、横幅Ｗ７（例えば、Ｗ７＝２４０ｍｍ）の寸法を有している。ボケット体６１を囲む４辺のうちの１辺を除く各辺の内側近傍には縫合線ＬＮＰ（布地６２と布地６３とを糸により縫合してなる縫合線）がある。ボケット体６１の布地６２及び６３における縫合線ＬＮＰの無い部分は縫合線ＬＮＤＩＮにおいてシート本体１１に縫合されている。ボケット体６１の収容部６４は、生地６２及び６３と縫合線ＬＮＰ及びＬＮＤＩＮとにより囲まれている。
【００２１】
図２（Ｂ）に示すように、ボケット体６１は、縫合線ＬＮＤＩＮの部分を基端としてシート本体１１における鳩目３１Ｄ−４のある側の部分に折り返すことができる。ボケット体６１をなす２枚の生地６２、６３のうちボケット体６１をシート本体１１における鳩目３１Ｄ−４の内側の部分の上に敷いたとき（図２（Ａ）のように敷いたとき）にシート本体１１側に臨む生地６３には収容部６４と連通する開口部６６が設けられている。この開口部６６の内縁には線ファスナが設けられている。
【００２２】
図１（Ａ）、図２（Ａ）、及び図２（Ｂ）に示すように、シート本体１１の表生地１２における幅Ｗ１方向に向かい合う２辺のうちファスナエレメント２１Ｌのある側の辺にはファスナエレメント２１Ｌを覆う襠布４１が設けられている。襠布４１はファスナエレメント２１Ｌにおける幅Ｗ１方向の寸法よりも十分に大きな横幅Ｗ７（例えば、Ｗ７＝３５ｍｍ）と、ファスナエレメント２１Ｌと同じ縦幅Ｌ１とを有している。
【００２３】
シート本体１１の裏生地１３における幅Ｗ１方向に向かい合う２辺のうちファスナエレメント２１Ｌのある側の辺にはファスナエレメント２１Ｌを覆う襠布４２Ｌが設けられている。裏生地１３における幅Ｗ１方向に向かい合う２辺のうちファスナエレメント２１Ｒのある側の辺にはファスナエレメント２１Ｒを覆う襠布４２Ｒが設けられている。襠布４２Ｌはファスナエレメント２１Ｌにおける幅Ｗ１方向の寸法よりも僅かに大きな横幅Ｗ８（例えば、Ｗ８＝１０ｍｍ）と、ファスナエレメント２１Ｌと同じ縦幅Ｌ１とを有している。襠布４２Ｒの寸法は襠布４２Ｌのそれと同じである。
【００２４】
ここで、このシート１０は、バッグに変化するように構成されている。シート１０をバッグに変化させる手順は次の通りである。まず、シート本体１１をその裏生地１３を内側に向けるようにして丸め、シート本体１１におけるファスナエレメント２１Ｌとファスナエレメント２１Ｒを突き合わせる。次に、シート本体１１のファスナエレメント２１Ｌ及び２１Ｒをスライダ２２により噛合させ、シート本体１１を筒状にする。
【００２５】
次に、シート本体１１における鳩目３１Ｄ−１、３１Ｄ−３、３１Ｄ−４のある部分を鳩目３１Ｄ−２のある部分の上に重ねるようにして内側に折り曲げ、留具５１ＤのＵ字部５２Ｄを鳩目３１Ｄ−１、３１Ｄ−３、３１Ｄ−４の孔３２Ｄ−１、３２Ｄ−３、３２Ｄ−４に通す。図５は、この状態におけるシート本体１１を下方から見た図である。
【００２６】
次に、シート本体１１における内側に折り曲げられていない側（鳩目３１Ｕ−ｋ（ｋ＝１〜４）のある側）の開口から荷物を入れ、その奥における折り重ねられている部分（鳩目３１Ｄ−ｋ（ｋ＝１〜４）のある部分）の裏生地１３の上に荷物を置く。
【００２７】
次に、シート本体１１における鳩目３１Ｕ−１、３１Ｕ−３、３１Ｕ−４のある部分を鳩目３１Ｕ−２のある部分の上に重ねるようにして内側に折り曲げ、留具５１ＵのＵ字部５２Ｕを鳩目３１Ｕ−１、３１Ｕ−３、３１Ｕ−４の孔３２Ｕ−１、３２Ｕ−３、３２Ｕ−４に通す。
【００２８】
最後に、留具５１Ｄにおける鳩目３１Ｄ−１、３１Ｄ−３、３１Ｄ−４の孔３２Ｄ−１、３２Ｄ−３、３２Ｄ−４内に通した先の部分にショルダーベルト９０の一方のフック９２（または９１）を係合させ、留具５１Ｕにおける鳩目３１Ｕ−１、３１Ｕ−３、３１Ｕ−４の孔３２Ｕ−１、３２Ｕ−３、３２Ｕ−４内に通した先の部分にショルダーベルト９０の他方のフック９１（または９２）を係合させる。これにより、シート１０からバッグへの変化が完了する。図６に示すように、利用者は、ショルダーベルト９０を肩にかけてバッグを背負うことができる。
【００２９】
以上が、本実施形態の構成の詳細である。本実施形態によると、次の効果が得られる。
第１に、本実施形態では、シート１０のシート本体１１を裏生地１３を内側に向けて丸め、シート本体１１における２つのファスナエレメント２１Ｌ，２１Ｒを噛合させ、シート本体１１における複数個の鳩目３１Ｕ−ｋ（ｋ＝１〜４）、３１Ｄ−ｋ（ｋ＝１〜４）のある部分を内側に折り曲げ、シート本体１１の複数個の鳩目３１Ｕ−ｋ（ｋ＝１〜４）、３１Ｄ−ｋ（ｋ＝１〜４）に留具５１Ｕ、５１Ｄにおける表生地１２の側に露出した部分を通すことにより、バッグに変化するように構成されている。そして、シート１０を変形させたバッグにおける荷物を入れる空間は筒状になっている。よって、本実施形態によると、厚手の衣服やランチボックスなどといった厚みのあるものを無理なく収納することができる。また、本実施形態によると、図７（Ａ）に示すように、２枚のシート１０Ａ及び１０Ｂを並べてシート１０Ａのファスナエレメント２１Ｌ（または２１Ｒ）とシート１０Ｂのファスナエレメント２１Ｒ（または２１Ｌ）を噛合させることにより、２枚分の面積を持った敷物を作ることができる。
【００３０】
第２に、本実施形態では、シート本体１１の裏生地１３における鳩目３１Ｄ−４の内側近傍にボケット体６１が縫合されている。ここで、シート１０をバッグに変化させた状態において、シート本体１１における留具５１Ｄにより纏められた重なり部分（鳩目３１Ｄ−ｋ（ｋ＝１〜４）のある部分）の上にボケット体６１を敷いた場合、このバッグは、留具５１Ｄにより纏められた重なり部分とボケット体６１とからなる２重底の構造を持ったものとなる。よって、本実施形態によると、小さいものや薄いものをバッグの中に入れた場合にそれがバッグの底におけるシート本体１１の重なり部分の隙間から下に落ちてしまう、という事態の発生を防止することができる。また、本実施形態では、ノートなどの幅薄なものをボケット体６１の収容部６４に入れて持ち運ぶこともできる。
【００３１】
第３に、本実施形態では、ボケット体６１をシート本体１１における鳩目３１Ｄ−４の内側の部分の上に敷いたときにシート本体１１側に臨む生地６３に開口部６６が設けられている。ここで、シート１０をバッグに変化させた状態において、この開口部６６はバッグの出し入れ口の側を向く。よって、本実施形態によると、シート１０をバッグに変形させた状態における収容部６４内の物の出し入れが生地６２に開口部６６を設けたもよりも容易になる。
【００３２】
第４に、本実施形態では、シート本体１１における幅Ｌ１方向に向かい合う２辺のうち一方の辺の内側近傍に鳩目３１Ｄ−ｋ（ｋ＝１〜４）が設けられており、もう一方の辺の内側近傍に鳩目３１Ｕ−ｋ（ｋ＝１〜４）が設けられている。また、鳩目３１Ｄ−２には留具５１Ｄが嵌め込まれており、鳩目３１Ｕ−２には留具５１Ｕが嵌め込まれている。ここで、シート１０をバッグに変化させた状態において、シート本体１１における留具５１Ｄにより纏められた重なり部分（鳩目３１Ｄ−ｋ（ｋ＝１〜４）のある部分）はバッグの底として機能し、留具５１Ｕにより纏められた重なり部分（鳩目３１Ｕ−ｋ（ｋ＝１〜４）のある部分）はバッグの蓋として機能する。よって、本実施形態によると、バッグの中に物を入れて運んでいる間にその物がバッグの外に落ちてしまう、という事態の発生を確実に防ぐことができる。
【００３３】
第５に、本実施形態では、シート本体１１における鳩目３１Ｄ−２の周囲に表生地１２と裏生地１３との縫合線ＬＮＤＯＵＴ、ＬＮＤＩＮ、ＬＮＤＬ、ＬＮＤＲがあり、鳩目３１Ｕ−２の周囲に表生地１２と裏生地１３との縫合線ＬＮＵＯＵＴ、ＬＮＵＩＮ、ＬＮＵＬ、ＬＮＵＲがある。そして、留具５１ＤのＵ字部５２Ｄの長さＬ４は鳩目３１Ｄ−２内の孔３２Ｄ−２から当該鳩目３１Ｄ−２の周囲の縫合線ＬＮＤＯＵＴ、ＬＮＤＩＮ、ＬＮＤＬ、ＬＮＤＲまでの間の最長距離ＤＭＡＸよりも長くなっており、留具５１ＵのＵ字部５２Ｕの長さＬ４は鳩目３１Ｕ−２内の孔３２Ｕ−２から当該鳩目３１Ｕ−２の周囲の縫合線ＬＮＵＯＵＴ、ＬＮＵＩＮ、ＬＮＵＬ、ＬＮＵＲまでの間の最長距離ＤＭＡＸよりも長くなっている。このため、本実施形態では、留具５１Ｄや留具５１Ｕが孔３２Ｄ−２や孔３２Ｕ−２から表生地１２と裏生地１３の間の空間に入ってしまってそこから引き出せなくなる、という事態の発生を防止することができる。
【００３４】
第６に、本実施形態では、シート本体１１の表生地１２に襠布４１が縫合されている。ここで、ファスナエレメント２１Ｌ，２１Ｒは雨に晒されると劣化が進む。これに対し、本実施形態では、図６に示すように、バッグをその襠布４１の端部（シート本体１１に縫合されている側と反対側の端部）が下を向くようにして背負うことにより、ファスナエレメント２１Ｌ及びこれに噛合しているファスナエレメント２１Ｒに雨水を付着させ難くすることができる。よって、本実施形態によると、襠布４１がないものよりもファスナエレメント２１Ｌ及び２１Ｒの寿命を長くすることができる。
【００３５】
第７に、本実施形態では、シート本体１１の裏生地１３に襠布４２Ｌ及び４２Ｒが縫合されている。図７（Ｂ）に示すように、２枚のシート１０Ａ及び１０Ｂを並べてシート１０Ａのファスナエレメント２１Ｌとシート１０Ｂのファスナエレメント２１Ｒを噛合させた状態において、シート１０Ａのファスナエレメント２１Ｌ及びシート１０Ｂのファスナエレメント２１Ｒは襠布４２Ｌ及び４２Ｒにより完全に覆われる。この襠布４２Ｌ及び４２Ｒは、剛体であるファスナエレメント２１Ｌ及び２１Ｒよりもクッション性が高い。よって、本実施形態によると、２枚のシート１０Ａ及び１０Ｂのファスナエレメント２１Ｌ及び２１Ｒ同士を噛合させて一枚の敷物にした状態においてファスナエレメント２１Ｌ及び２１Ｒの上に人が座った場合に生じる違和感を和らげることができる。
【００３６】
以上、本発明の一実施形態について説明したが、かかる実施形態に以下の変形を加えてもよい。
（１）上記実施形態において、シート本体１１における縫合線ＬＮＤＯＵＴ及び縫合線ＬＮＤＩＮ間の鳩目３１Ｄ−ｋ（ｋ＝１〜４）の個数を２〜３個にしてもよいし、４個以上にしてもよい。また、シート本体１１における縫合線ＬＮＵＯＵＴ及び縫合線ＬＮＵＩＮ間の鳩目３１Ｕ−ｋ（ｋ＝１〜４）の個数を２〜３個にしてもよいし、４個以上にしてもよい。
【００３７】
（２）上記実施形態において、シート本体１１における縫合線ＬＮＤＯＵＴ及び縫合線ＬＮＤＩＮ間の鳩目３１Ｄ−ｋ（ｋ＝１〜４）は同じ距離Ｗ３ずつ離れており、シート本体１１における縫合線ＬＮＵＯＵＴ及び縫合線ＬＮＵＩＮ間の鳩目３１Ｕ−ｋ（ｋ＝１〜４）もまた同じ距離Ｗ３ずつ離れていた。しかし、隣り合う鳩目３１Ｄ−ｋ間の距離や隣り合う鳩目３１Ｕ−ｋ間の距離を不均一にしてもよい。
【００３８】
（３）上記実施形態において、シート本体１１における幅Ｌ１方向に向かい合う２辺のうち一方の辺の内側近傍にのみ鳩目を設けてもよい。
【００３９】
（４）上記実施形態における幅Ｗ１、Ｌ１などの寸法は例示に過ぎず、これらの寸法を上記実施形態と異なる値としてもよい。
【００４０】
（５）上記実施形態では、シート本体１１は、表生地１２と裏生地１３の２枚の生地を縫合したものであった。しかし、表生地１２と裏生地１３とを含む３枚以上の生地を縫合したものをシート本体１１としてもよい。
【符号の説明】
【００４１】
１０…シート、１１…シート本体、１２…表生地、１３…裏生地、２１…ファスナエレメント、２２…スライダ、３１…鳩目、３２…孔、４１，４２…襠布、５１…留具、５２…Ｕ字部、５３…曲部、６１…ポケット部、６２，６３…生地、６４…収容部、９０…ショルダーベルト、９１，９２…フック。
【図１】
2014023576.tif 000003
【図２】
2014023576.tif 000004
【図３】
2014023576.tif 000005
【図５】
2014023576.tif 000006
【図６】
2014023576.tif 000007
【図７】
2014023576.tif 000008
【図４】
2014023576.tif 000009